(57)【要約】      （修正有）【課題】家庭用コンセントから機器まで電源タップが届かない、又家庭用コンセントから機器まで電源タップの電線が煩雑になるという不都合はおきず、又タップ部の電源コンセントの口数も変更可能とし、更にタップ部に取り付けた吊り下げ用フックを、他に取り付けたフックに吊り下げる事により、使用しない場合は邪魔にならない様にする事ができるなどの効果が得られる機器接続式電源タップの提供。【解決手段】コードコネクタボディとインレット型差込プラグを結ぶ電源コードと電源コードに並列に接続された電源コードとタップ部を備えた機器接続式電源タップを機器と機器用電源コードの間に接続する。【選択図】図７
0003134187.tif 000002
【実用新案登録請求の範囲】
【請求項１】
コードコネクターボディとインレット型差込プラグを結ぶ電源コードと、前記電源コードに並列に接続された電源コードとタップ部を備えた機器接続式電源タップ。
【請求項２】
タップ部にインレットを備え、並列に接続された電源コードの末端部に機器差込みプラグを備えることで、タップ部を脱着可能とした請求項１記載の機器接続式電源タップ。
【請求項３】
タップ部の脱着箇所が、ＡＣアダプターなどに接続可能な機器用差込プラグと前記機器用差込みプラグの差し込みが可能なインレットで構成された請求項２に記載の機器接続式電源タップ。
【請求項４】
タップ部の口数が１つ、又は複数個備えた請求項１及び請求項２及び請求項３に記載の機器接続式電源タップ
【請求項５】
タップ部に吊り下げ用フックを備えた、請求項１及び求項２及び求項３及び請求項４に記載の機器接続式電源タップ
【考案の詳細な説明】
【技術分野】
【０００１】本考案は、電源タップに関するものであり、機器と機器用電源コードの間に接続する事によって機器付近で簡単に、必要な電源プラグの差込口数の電源を確保ができるようにしたものである。
【背景技術】
【０００２】従来から、家庭用コンセントに電源プラグを差し込む電源タップは利用されている。
【考案の開示】
【考案が解決しようとする課題】
【０００３】しかし、従来のような家庭用コンセントに電源プラグを差し込む電源タップでは、機器付近で使用する場合、下記課題が生じ非常に不便である。
Ａ．電源タップのコードが長い場合、余分なコードがたるみ煩雑になり易く、又余分なコードを束ねるのは安全上好ましくない。
Ｂ．電源タップのコードの長さが足りなく機器付近まで届かない場合が生じる。
Ｃ．電源コンセントの口数の不足で増設が出来ない。
Ｄ．電源タップが必要でない場合は邪魔になる。
【課題を解決するための手段】
【０００４】「コードコネクタボディとインレット型差込プラグを結ぶ電源コードと前記電源コードに並列に接続された電源コードとタップ部を備えた機器接続式電源タップ」を機器と機器用電源コードの間に接続する事で、「Ａ．電源タップのコードが長い場合、余分なコードがたるみ煩雑になり易く、又余分なコードを束ねるのは安全上好ましくない。」及び「Ｂ．電源タップのコードの長さが足りなく機器付近まで届かない場合が生じる。」「Ｃ．電源コンセントの口数の不足で増設が出来ない。」「Ｄ．電源タップが必要でない場合は邪魔になる。」といった課題が解決できる。【０００５】機器と機器用電源コードの間に請求項２に示す本考案品を接続する事で、例えば追加的に使用したい機器用に共用でき、持ち運ぶ電源コードを最小限に選択でき、Ａ〜Ｄの課題が解決できる。【０００６】機器と機器用電源コードの間に請求項３に示す本考案品を接続する事で、もっとも汎用的なＡＣアダプタが容易に追加して使用でき、Ａ〜Ｄの課題が解決できる。【０００７】機器と機器用電源コードの間に請求項４に示す本考案品を接続する事で、容易に１個〜多数個のタップ口数を手軽に増設でき、Ａ〜Ｄの課題が解決できる。【０００８】請求項５に示す本考案品のように前述のタップ例にフックを設ける事で、機器への吊り下げが可能となり、事務作業スペースを広く取る事が出来る。
【考案の効果】
【０００９】本考案品により、家庭用コンセントから機器まで電源タップが届かない、又家庭用コンセントから機器まで電源タップの電線が煩雑になるという不都合はおきず、又タップ部の電源コンセントの口数も変更可能とし、更にタップ部に取り付けた吊り下げ用フックを、他に取り付けたフックに吊り下げる事により、使用しない場合は邪魔にならない様にする事ができるなどの効果が得られる。
【考案を実施するための最良の形態】
【００１０】機器接続式電源タップは、図７に示すようにコードコネクターボディＡとインレット型差込プラグＢを結ぶ電源コードＣと、前記電源コードに並列に接続された電源コードＤとタップ部Ｆ及び吊り下げ用フックＨで形成される。又図８に示すように、電源コードＤとタップ部Ｆは、機器用差込プラグＥとそのプラグが差込み可能なインレットＧを備える事により、タップ部Ｆの脱着を可能とすることである。
【実施例】
【００１１】以下、一実施例を添付図面に従って説明する。本考案品の機器接続式電源タップは、図７に示すようにコードコネクターボディＡとインレット型差込プラグＢを結ぶ電源コードＣと、前記電源コードに並列に接続された電源コードＤとタップ部Ｆ及び吊り下げ用フックＨで形成され、図３及び図６で示すように、機器用電源コードと機器（モニター）の間に接続することにより、機器付近で簡単に必要な電源プラグの差込み口の電源を確保できる。【００１２】図８は、電源コードＤとタップ部Ｆが、機器用差込プラグＥとそのプラグが差込み可能なインレットＧを備える事により、タップ部Ｆの脱着を可能とし必要な電源プラグの差込口数を有するタップ部への変更を可能としている。【００１３】図９及び図１０は、吊り下げ用フックＨを、機器（モニター）に取り付けたフックに吊り下げる事により、使用しない場合は邪魔にならない様にする事ができる。
【図面の簡単な説明】
【００１４】
【図１】コードが短い電源タップを使用し、長さが足りなく、機器まで届かない状態図である。＊機器（モニター）正面
【図２】コードが長い電源タップを使用し、余分なコードがたるみ、煩雑になった状態図である。＊機器（モニター）正面
【図３】機器用電源コードと機器との間に接続して、機器に電源を供給しながら複数の機器へ電源供給ができる機器接続式電源タップを使用した本考案品の状態図である。＊機器（モニター）正面
【図４】図１の環境を機器（モニター）側面から見た図である。
【図５】図２の環境を機器（モニター）側面から見た図である。
【図６】図３の環境を機器（モニター）側面から見た図である。
【図７】コードコネクターボディＡとインレット型差込プラグＢを結ぶ電源コードＣと、前記電源コードに並列に接続された電源コード部Ｄとタップ部Ｆで形成された機器接続式電源タップの実施例である。
【図８】コードコネクターボディＡとインレット型差込プラグＢを結ぶ電源コードＣと、前記電源コードに並列に接続された電源コードＤとタップ部Ｆで形成され、又電源コードＤとタップ部Ｆは、機器用差込プラグＥとそのプラグが差込み可能なインレットＧを備える事により、タップ部Ｆの脱着を可能とした電源タップの実施例である。
【図９】吊り下げ用フックＨの付いたタップ部Ｆを、機器に取り付けられたフック７に、吊り下げた環境である。＊機器（モニター）正面
【図１０】図９の環境をモニター側面から見た図である。
【符号の説明】
【０００１５】１      機器（モニター）
２      家庭用コンセント
３      機器用  電源コード
４      電線の短い  電源タップ
５      電線の長い  電源タップ
６      機器接続式電源タップ（考案品の名称）
７      機器に取り付けられたフック
Ａ      コードコネクターボディ
Ｂ      インレット型差込プラグ
Ｃ      電源コード
Ｄ      Ｃに並列に接続された電源コード
Ｅ      機器用差込プラグ
Ｆ      タップ部
Ｇ      インレット
Ｈ      吊り下げ用フック
【図１】
0003134187.tif 000003
【図２】
0003134187.tif 000004
【図３】
0003134187.tif 000005
【図４】
0003134187.tif 000006
【図５】
0003134187.tif 000007
【図６】
0003134187.tif 000008
【図７】
0003134187.tif 000009
【図８】
0003134187.tif 000010
【図９】
0003134187.tif 000011
【図１０】
0003134187.tif 000012